(57)【特許請求の範囲】
【請求項１】
放送局側の多重化手段が、コンテンツ情報とコンテンツ情報ごとに個別に割当可能な特徴情報であって上記コンテンツ情報に実際に割り当てられた上記特徴情報とを放送信号に多重化するステップと、
上記放送局側の送信手段が、上記多重化した放送信号を送信するステップと、
受信機器の受信手段が、上記多重化した放送信号を受信するステップと、
上記受信機器の取出し手段が、上記受信した放送信号から、上記コンテンツ情報と上記特徴情報とを取出すステップと、
上記受信機器の出力手段が、上記取出したコンテンツ情報に基づいてコンテンツの内容を出力してユーザが視聴できるようにするステップと、
上記受信機器の選択手段が、出力されているコンテンツに対するユーザの指定動作に基づいて、当該指定動作のタイミングで出力されているコンテンツの内容を出力するために用いる上記コンテンツ情報について、当該コンテンツ情報の特徴情報を選択するステップと、
上記受信機器の送信手段が、上記選択された特徴情報を、通信媒体を介して記憶装置側に送信するステップとを有し、選択され、かつ送信された上記特徴情報を当該記憶装置に記憶させることを特徴とする情報アクセス方法。
【請求項２】
さらに上記記憶装置に記憶された特徴情報を、通信手段により、通信媒体を介して取出すステップを有する請求項１記載の情報アクセス方法。
【請求項３】
上記特徴情報は上記コンテンツ情報に関連する地図位置情報を含む請求項１または２記載の情報アクセス方法。
【請求項４】
上記特徴情報は上記コンテンツ情報に関連する記憶アドレス情報を含む請求項１、２または３記載の情報アクセス方法。
【請求項５】
請求項１に記載の情報アクセス方法に用いられる放送装置であって、
コンテンツ情報とコンテンツ情報ごとに個別に割当可能な特徴情報であって上記コンテンツ情報に実際に割り当てられた上記特徴情報とを放送信号に多重化する手段と、
上記多重化した放送信号を送信する手段とを有し、
上記特徴情報は、受信機器側で出力されているコンテンツに対するユーザの指定動作に基づいて、当該指定動作のタイミングで出力されているコンテンツの内容を出力するために用いる上記コンテンツ情報について、当該受信機側で選択されるものであることを特徴とする放送装置。
【請求項６】
コンテンツ情報とコンテンツ情報ごとに個別に割当可能な特徴情報であって上記コンテンツ情報に実際に割り当てられた上記特徴情報とが多重化された放送信号を受信する手段と、
上記受信した放送信号から、上記コンテンツ情報と上記特徴情報とを取出す手段と、
上記取出したコンテンツ情報に基づいてコンテンツの内容を出力してユーザが視聴できるようにする手段と、
出力されているコンテンツに対するユーザの指定動作に基づいて、当該指定動作のタイミングで出力されているコンテンツの内容を出力するために用いる上記コンテンツ情報について、当該コンテンツ情報の特徴情報を選択する手段と、
上記選択された特徴情報を、通信媒体を介して記憶装置に記憶させる手段とを有することを特徴とする情報アクセス装置。
【請求項７】
放送局側の多重化手段が、コンテンツ情報とコンテンツ情報ごとに個別に割当可能な特徴情報であって上記コンテンツ情報に実際に割り当てられた上記特徴情報とを含む放送信号を送信するステップと、
受信機器の受信手段が、上記放送信号を受信するステップと、
上記受信機器の取出し手段が、上記受信した放送信号から、上記コンテンツ情報と上記特徴情報とを取出すステップと、
上記受信機器の映像出力手段が、上記取出したコンテンツ情報に基づいてコンテンツの内容を出力してユーザが視聴できるようにするステップと、
上記受信機器の選択手段が、出力されているコンテンツに対するユーザの指定動作に基づいて、当該指定動作のタイミングで出力されているコンテンツの内容を出力するために用いる上記コンテンツ情報について、当該コンテンツ情報の特徴情報を選択するステップと、
上記受信機器の記憶制御手段が、上記選択された特徴情報を当該受信機器内の記憶装置または当該受信機器外部の記憶装置に記憶させるステップとを有することを特徴とする情報アクセス方法。
【請求項８】
上記記憶装置は通信媒体を介してアクセスされるリモート記憶装置とする請求項７記載の情報アクセス方法。
【請求項９】
サーバコンピュータの記憶手段が、コンテンツ情報とコンテンツ情報ごとに個別に割当可能な特徴情報であって上記コンテンツ情報に実際に割り当てられた上記特徴情報とを記憶するステップと、
上記サーバコンピュータの送信手段が、上記コンテンツ情報と上記特徴情報とを送信するステップと、
受信機器の受信手段が、上記送信されたコンテンツ情報と上記特徴情報とを受信するステップと、
上記受信機器の出力手段が、上記受信したコンテンツ情報に基づいてコンテンツの内容を出力してユーザが視聴できるようにするステップと、
上記受信機器の選択手段が、出力されているコンテンツに対するユーザの指定動作に基づいて、当該指定動作のタイミングで出力されているコンテンツの内容を出力するために用いる上記コンテンツ情報について、当該コンテンツ情報の特徴情報を選択するステップと、
上記受信機器の記憶制御手段が、上記特徴情報を、当該受信機器内の記憶装置または当該受信機器外部の記憶装置に記憶させるステップとを有することを特徴とする情報アクセス方法。
【請求項１０】
コンテンツ情報とコンテンツ情報ごとに個別に割当可能な特徴情報であって上記コンテンツ情報に実際に割り当てられた上記特徴情報とを含む放送信号を受信する手段と、
上記受信した放送信号から、上記コンテンツ情報と上記特徴情報とを取出す手段と、
上記取出したコンテンツ情報に基づいてコンテンツの内容を出力してユーザが視聴できるようにする手段と、
出力されているコンテンツに対するユーザの指定動作に基づいて、当該指定動作のタイミングで出力されているコンテンツの内容を出力するために用いる上記コンテンツ情報について、当該コンテンツ情報の特徴情報を選択する手段と、
上記選択された特徴情報を当該情報アクセス装置本体内の記憶装置または当該情報アクセス装置本体外部の記憶装置に記憶させる手段とを有することを特徴とする情報アクセス装置。
【請求項１１】
コンテンツ情報とコンテンツ情報ごとに個別に割当可能な特徴情報であって上記コンテンツ情報に実際に割り当てられた上記特徴情報とを含む放送信号を受信する手段と、
上記受信した放送信号から、上記コンテンツ情報と上記特徴情報とを取出す手段と、
上記取出したコンテンツ情報に基づいてコンテンツの内容を出力してユーザが視聴できるようにする手段と、
出力されているコンテンツに対するユーザの指定動作に基づいて、当該指定動作のタイミングで出力されているコンテンツの内容を出力するために用いる上記コンテンツ情報について、当該コンテンツ情報の特徴情報を選択する手段と、
上記選択された特徴情報を当該情報アクセス装置本体内の記憶装置または当該情報アクセス装置本体外部の記憶装置に記憶させる手段とを実現するためにコンピュータに実行させるコンピュータプログラムを当該コンピュータに読み込み可能に記録した記録媒体。
【発明の詳細な説明】
【０００１】
【発明の属する技術分野】
この発明は、通信、放送、記録メディアを介して取得した情報から取捨選択した所望の情報をどのサイトからでもアクセスできるようにする情報アクセス技術に関する。
【０００２】
【従来の技術】
通信技術、放送技術、情報記録技術の進歩に伴って、個人が多種多様な情報に接するようになってきている。このような状況は、情報の氾濫を誘発し、情報に接する者は、情報を効率的に取捨選択する必要に迫られている。このような状況下、インターネット上で検索エンジンが提供されたり、ホームページ情報のＣＤ−ＲＯＭが提供されたり、あるいは、ＷＷＷブラウザ（ＷＷＷ：ワールド・ワイド・ウェブ、ウエブブラウザともいう）にブックマーク機能が付加されたりしている。ところで、コンピュータ・ユーザは、家庭や職場あるいはモバイル環境下でコンピュータをアクセスすることが多くなってきている。このような環境下では、異なるサイトで以前に行なった情報の取捨選択は利用することができない。例えば、家庭にあるコンピュータでアクセスした情報をローカルに保持しておいても、通信アクセス手段が用意されていなければ、職場、あるいはモバイル環境においてその情報を利用することができない。また、一方のサイトにあるコンピュータのＷＷＷブラウザでブックマークを登録しても、他のサイトにあるコンピュータのＷＷＷブラウザではそのブックマークを利用できない。
【０００３】
【発明が解決する課題】
この発明は、以上の事情を考慮してなされたものであり、取捨選択した情報をどのサイトからでも容易にアクセスすることができる情報アクセス技術を提供することを目的としている。
【０００４】
【課題を解決するための手段】
この発明によれば、上述の目的を達成するために、コンテンツ情報と上記コンテンツ情報の特徴情報とを放送信号に多重化するステップと、上記多重化した放送信号を送信するステップと、上記多重化した放送信号を受信するステップと、上記受信した放送信号から、上記コンテンツ情報と上記特徴情報とを取出すステップと、上記取出したコンテンツ情報に基づいて視聴覚動作を実行するステップと、上記取出した特徴情報を選択するステップと、上記選択された特徴情報を、通信媒体を介して記憶装置に記憶させるステップとを実行するようにしている。
【０００５】
コンテンツ情報の特徴情報例えば地図位置情報や電話番号等をリモートの記憶装置に保管するのでどのサイトからでも容易にその特徴情報を取得することができる。
【０００６】
また、この発明によれば、上述の目的を達成するために、アプリケーションが予め定められた記憶位置に記憶した情報を取出すステップと、取出した情報をリモートの記憶装置に記憶させるステップとを実行するようにしている。
【０００７】
この構成においては、アプリケーションがローカルの環境下で利用する情報をリモートの記憶装置に記憶させることができ、どのサイトからでも当該アプリケーションの環境下で所望の情報を利用できる。記憶された情報が他のアプリケーション用に記憶されたものである場合には、当該他のアプリケーションをどのサイトからでも利用できる。
【０００８】
なお、この発明は、放送方法、情報アクセス装置、放送装置、プログラムパッケージとしても実現できる。
【０００９】
【発明の実施の態様】
以下、この発明の実施例について説明する。
【００１０】
図１は、この実施例が適用される放送および情報処理システムの概要を示すものであり、この図において、テレビジョン放送局１０には、放送サーバ１１、コンテンツ制作用端末１２、送信施設１３等が設けられている。放送サーバ１１で作成された放送プログラムは送信施設１３を介して放送される。この実施例の放送プログラムの送信信号中には、通常のテレビジョン信号と、このテレビジョン信号の垂直帰線期間に多重化されるコンテンツ情報とが含まれる。受信側では、アンテナ（図示しない）等を介して放送信号が受信され、テレビジョン受像機またはテレビジョン受像機能を有するパーソナルコンピュータ等で放送信号を再生する。図では、テレビジョン受像機能を有するパーソナルコンピュータ２０を一例として示している。パーソナルコンピュータ２０は放送信号を復調する機能を有し、復調した信号に基づいてスクリーンの全部または一部を利用してテレビジョン画像を再生する。またパーソナルコンピュータ２０は図示のようにモデム２１を介して電話回線に接続されている。パーソナルコンピュータ２０はモデル２１等（必要であればインターネットサービスプロバイダを介して）によりインターネット３０に接続されている。このインターネット３０には種々のサーバが接続されている。この例では、情報提供用のＷＷＷサーバ３１およびユーザ選択情報保管用のサーバ３２が接続されている。
【００１１】
また、パーソナルコンピュータ２０のユーザは、モバイルコンピュータ４０を利用してインターネット３０にアクセスできるようになっている。このモバイルコンピュータ４０は例えば車両４０ａに搭載したＧＰＳ（グローバルポジショニングシステム）カーナビゲーションシステム４０ｂに地図位置情報等を供給できるようになっている。もちろん、カーナビゲーションシステム４０ｂにモバイルコンピューティング機能を持たせるようにしてもよい。
【００１２】
なお、フロッピディスクやＣＤ−ＲＯＭ等の記録媒体２０ｂは、後述するＢｉｔｃａｓｔソフトウェア４８（Ｂｉｔｃａｓｔは株式会社インフォシティの商標である）をパーソナルコンピュータ２０にインストールするのに用いられる。また、ＣＤ−ＲＯＭ駆動装置、ＤＶＤ（デジタルビデオディスク）駆動装置等のデータ記録再生装置、ＢＳ放送、ＣＳ放送、ケーブルテレビ放送のチューナやセットトップボックス等の機器２０ａはパーソナルコンピュータ２０にデータを供給するようになっている。
【００１３】
この実施例においては、放送局１０は、ＷＷＷサーバ３１からのＨＴＭＬ（ハイパーテキストマークアップランゲージ）で記述されたウェブ情報（ウェブページ）を受け取り、通常の放送プログラムの放送信号に多重して放送する。この場合、ウェブ情報を直接用いて送信するのではなく、コンテンツ制作用端末１２で加工して送信してもよく、コンテンツ制作用端末１２で個別に用意した情報を送信するようにしてもよい。
【００１４】
図２は、放送局１０における動作を示しており、この図において、例えば、コンテンツ制作用端末１２で制作したコンテンツ・ボディ（ウェブ情報）を取り出す（Ｓ１１）。つぎにコンテンツ・ボディに関する付加情報、例えば、表示時刻等の情報を追加する（Ｓ１２）。さらに、コンテンツの特徴情報、例えばタイトル、作成者、地図位置情報、所在地、電話番号、メールアドレス、関連ＵＲＬ等を追加する（Ｓ１３）。この特徴情報はユーザがユーザ選択情報保管用サーバ３２またはローカルの記憶装置にクリップするのに適したものであり、ユーザのニーズに応じて予め決定しておく。なお、後述するように、特徴情報を付加せずに、受信側で特徴情報を導出するようにしてもよい。
【００１５】
このように一体化されたコンテンツ・ボディおよび追加情報をあわせてメッセージと呼ぶことにする（図３（ａ））。このメッセージはパケット化され（Ｓ１４、図３（ｂ））、パケットごとにＶＢＩ信号（Ｖｅｒｔｉｃａｌ  Ｂｌａｎｋｉｎｇ  Ｉｎｔｅｒｖａｌ信号）とされて垂直帰線期間の所定の水平周期で放送信号に多重化され（Ｓ１５、図３（ｃ））、必要に応じて録画され、この後、放送される（Ｓ１６、Ｓ１７）。
【００１６】
図４は、図１のパーソナルコンピュータ２０においてメッセージを受信表示するための構成を示しており、この図において、パーソナルコンピュータ２０はテレビジョン信号チューナ４１、波形等価回路４２、Ａ／Ｄ変換器４３、パケット抽出部４４、番組データ生成部４５、Ｂ−ＨＴＴＰサービス部４６、Ｂｉｔｃａｓｔブラウザ部４７等を有している。この例では、  Ｂ−ＨＴＴＰサービス部４６およびＢｉｔｃａｓｔブラウザ部４７をＢｉｔｃａｓｔソフトウェア製品４８として提供するようになっている。
【００１７】
チューナ４１は変調されて送信されてくるテレビジョン信号を選局、復調するものである。波形等価器４２はテレビジョン信号の波形の乱れや信号レベルを補正する。Ａ／Ｄ変換器４３は特定の水平走査期間の信号を１／３６４ｆＨ（ｆＨは水平走査周波数）秒単位で標本化し、デジタル情報を生成する。パケット抽出部４４は、デジタル情報をパケット化し、伝送誤りや、訂正を行う。番組データ性西部４５は、抽出したパケットを組み合わせてデータブロックを生成する。
【００１８】
なお、データブロックが一まとめにされてデータグループ（メッセージ）として処理される。
【００１９】
Ｂ−ＨＴＴＰサービス部４６は、番組データ生成部４５から受け取ったメッセージを解析し、キャッシュ５１に一時記憶する。Ｂｉｔｃａｓｔブラウザ部４７はＢ−ＨＴＴＰサービス部４６からキャッシュ５１の内容についての情報を受け取り、この情報に基づいて、メッセージの表示時刻にメッセージをキャッシュ５１から取り出して表示装置の画面に表示する。なお、キャッシュ５１は所定の規則によりキャッシュ制御部５２により制御される。
【００２０】
図５は、コンテンツ情報の受信動作を示すものであり、この図において、まず放送信号が受信され（Ｓ２１）、その垂直帰線期間のＶＢＩ信号が抜き出され（Ｓ２２）、Ａ／Ｄ変換器４３によりデジタル情報とされる（Ｓ２３）。このデジタル情報はパケット抽出器４４によりパケット情報とされ（Ｓ２４）、さらに番組データ生成部４５によりデータブロックとされる（Ｓ２５）。Ｂ−ＨＴＴＰサービス部４６は一群のデータブロックからなるメッセージを追加情報に従ってキャッシュ５１に蓄える。
【００２１】
なお、メッセージに特徴情報が付加されていない場合には、図５に点線で示すように、コンテンツ・ボディをスキャンして特徴情報を抽出するようにし（Ｓ２６）、メッセージに付加するようにしてもよい（Ｓ１７）。通常、コンテンツ・ボディのタグを参照しながらタイトル等の文字情報やＵＲＬを取得する。
【００２２】
図６は、メッセージの表示動作を示すものであり、この図の例では、メッセージが本放送プログラムの放送に同期して表示されるようになっている。この場合、メッセージは、コンテンツ・ボディの他に表示時刻を表す追加情報を含む。図６において、表示時刻が到来すると（Ｓ３１）、対応するコンテンツ・ボディがキャッシュ５１から読み出され（Ｓ３２）、コンテンツ・ボディをＨＴＭＬ文法にしたがって解析して表示装置に表示する（Ｓ３３、Ｓ３４）。表示は例えば図７に示すようなものであり、領域４７ｂにテレビ放送が表示され、領域４７ａにコンテンツ・ボディが表示される。コンテンツ・ボディはＨＴＭＬで記述されたウェブ情報等であり、リファレンス領域４７ｃをクリック操作することにより、アンカ情報が指し示すアドレスの情報（ローカルに保持している情報やインターネット上のサーバが保持する情報）にアクセスすることができる。
【００２３】
図７の表示態様は一例であり、ユーザの指定、またはメッセージの付加情報による指定により、種々の態様で表示を行える。なお、メニューバーにはクリップボタン４７ｅが設けられ、このボタン４７ｅをクリックとクリップのプルダウンメニューが表示されるようになっている。これについては後に詳述する。
【００２４】
図８は、キャッシュ制御部５２の処理を示しており、この図において、データを取得すると、キャッシュ５１の容量あふれがチェックされる（Ｓ４１）。容量あふれのチェックの結果、エントリの削除が必要であれば規則に基づいて所定の順番に１または複数のエントリをキャッシュ５１から削除する（Ｓ４２）。こののち、取得したデータをキャッシュ５１に保存する（Ｓ４３）。そして、表示用データを作成し（ソート等）、表示領域４７ｄにおいて表示する（Ｓ４４、Ｓ４５）。
【００２５】
つぎに表示されているコンテンツの特徴情報のクリップについて説明する。図９（ａ）は図７のクリップボタン４７ｅがクリックされた状態を示す。クリップボタン４７ｅがクリックされると、プルダウンメニューが表示され、「ビュー」、「ローカル」、「リモート」の選択項目が表示される。「ビュー」が選択されると、図９（ｂ）に示すように、特徴情報の各データが表示され、ユーザは特徴情報の内容を知ることができる。イメージタイトル等の場合には、その項目をダブルクリックすれば詳細な情報例えばイメージ情報が表示される。ユーザは特徴情報の各データをクリックしてクリップ対象としてマークすることができる。再度クリックすればマークを解除できる。また、「すべて」の項目をクリックすると、すべての特徴情報をマークすることができる。図９（ｂ）の「ローカル」および「リモート」の項目は図９（ａ）の「ローカル」および「リモート」と同じである。「ローカル」はローカルの記憶装置（ハードディスク等）への保管を意味し、「リモート」はユーザ選択情報保管用サーバ３２への保管を意味する。
【００２６】
図１０はクリップ動作を示しており、この図において、クリップボタン４７ｅ（図７）がクリックされると、現在アクティブに表示されているコンテンツの特徴情報がキャッシュから取出され（Ｓ５１）、図９（ａ）のプルダウンメニューが表示され（Ｓ５２）、さらに選択保管フラグがリセットされる（Ｓ５３）。この選択転送フラグがセットされているときには、マークされている特徴情報のみ保管され、リセットされているときには、すべての特徴情報が保管される。こののち、ユーザがビューの項目を選択すると、プルダウンメニューが消去され、選択保管フラグがセットされ、特徴情報が表示される（Ｓ５４、Ｓ５５、Ｓ５６、Ｓ５７）。そして特徴情報の表示を基づいてユーザが特徴情報の項目をマークする（Ｓ５８）。なお、現在表示中のコンテンツ（本放送自体を含んでもよい。アクティブなウインドウのコンテンツでなくてもよい）のどの特徴情報をクリップするのかを選択する機能を設けてもよい。
【００２７】
この後、図９（ｂ）において「ローカル」または「リモート」が選択されると、ステップＳ５９に進む。同様に、図９（ａ）において「ビュー」を選択せずに、「ローカル」または「リモート」を選択した場合にもステップＳ５９に進む。
【００２８】
ステップＳ５９において、選択項目が「ローカル」の場合には、特徴情報をローカルの記録装置に保管する（Ｓ６０）。この場合、選択保管フラグがリセットされていればすべての特徴情報を保管する。他方、選択保管フラグがセットされている場合にはマークされている特徴情報のみ保管する。記憶装置に保管された特徴情報は例えば所定のボタンをクリックすることによりアクセスできる。例えば、特徴情報のエントリがまず表示され、選択されたエントリの詳細な特徴情報が表示される。
【００２９】
ステップＳ５９において、選択項目が「リモート」の場合には、特徴情報をユーザ選択情報保管用サーバ３２に転送する。この転送はＦＴＰにより行なうことができる。保管される特徴情報は「ローカル」の場合と同じである。
【００３０】
つぎに、ユーザ選択情報保管用サーバ３２から情報を取出す動作（クリップ取出し）について図１１を参照して説明する。なお、この操作はどのサイトからでも行なうことが可能であるが、ここでは、モバイルコンピュータ４０においてアクセスするものとする。
【００３１】
図１１において、モバイルコンピュータ４０の表示画面（ブラウザ）のクリップ取出し用のボタン（図示しない）をクリックすると、モバイルコンピュータ４０がユーザ選択情報保管用サーバ３２にアクセスする（Ｓ７１）。そうすると、サーバ３２は、ユーザが過去の１または複数のセッションにおいて保管した１または複数の特徴情報のエントリ・リストを、ユーザのＩＤ情報等に基づいて、モバイルコンピュータ４０に転送する（Ｓ７２）。モバイルコンピュータ４０のブラウザ等はこのリストを表示する（Ｓ７３）。ユーザはこのリストから所望の特徴情報のエントリを選択する（Ｓ７４）。この選択に基づいてモバイルコンピュータ４０のブラウザ等は選択された特徴情報の転送をユーザ選択情報保管用サーバ３２に要求する（Ｓ７５）。ユーザ選択情報保管用サーバ３２は、この要求に基づいて所望の特徴情報をモバイルコンピュータ４０に転送し（Ｓ７６）、モバイルコンピュータ４０のブラウザ等はこれをユーザに表示する（Ｓ７７）。さらに、ユーザが操作モードを選択するすると（Ｓ７８）、対応する動作がモバイルコンピュータ４０において実行される（Ｓ７９）。操作モードが、例えば、カーナビゲーションシステム４０ｂへの地図位置情報の転送であれば、これをカーナビゲーションシステム４０ｂに転送する。これに応じてカーナビゲーションシステム４０ｂは目的位置の登録を行なう。また、操作モードが電話の発呼である場合には、特徴情報である電話番号で発呼を行なう。また操作モードがインターネット上のＷＷＷサーバのホームページへのアクセスの場合には特徴情報であるＵＲＬを用いる。なお、特徴情報の表示だけで十分なときは操作モードとして終了を指定すればよい。
【００３２】
図１１では、リモート環境でクリップ情報を利用するときの動作を説明したが、ローカルの記憶装置にクリップした場合にも、類似のユーザインターフェースで情報を取得できる。
【００３３】
なお、この発明は上述の実施例に限定されるものではなく、種々変更が可能である。例えば、上述の実施例ではコンテンツ情報がテレビジョン放送に多重化された例を説明したが、ラジオ放送等、種々の放送の信号にコンテンツ情報を多重化してもよい。また、地上波放送のみでなく、有線放送、衛星放送であってもよい。放送はデジタル放送でもアナログ放送でもよい。また、コンテンツ情報自体を本放送とするデータ通信放送であってもよい。有線放送、衛星放送、データ通信放送の場合には、専用のセットトップボックス（図１の２０ａ）を用いることができる。もちろん、セットトップボックスの機能をパーソナルコンピュータ２０に実装してもよい。
【００３４】
また、本放送のコンテンツ（例えばデジタルＴＶデータやアナログのＴＶ信号）に特徴情報を付加してコンテンツ表示時に特徴情報をクリップできるようにしてもよい。また、ＷＷＷサーバから取出したＨＴＭＬ文書に予め付加した特徴情報や、ＨＴＭＬ文書を解析して得た特徴情報や、ブラウザからの情報に基づいて取得した特徴情報をクリップするようにしてもよい。また、ＣＤ−ＲＯＭ等の記録媒体に記録されているコンテンツに付加された特徴情報やそのコンテンツを解析して得た特徴情報をクリップするようにしてもよい。
【００３５】
また、ユーザ選択情報は、ＬＡＮに接続されたユーザ選択情報保管用サーバにＬＡＮを介して保管するようにしてもよい。
【００３６】
また、アプリケーションがローカルな記憶装置に記憶した情報を取出してリモートのユーザ選択情報保管用サーバに保管し、どのサイトからでも同一または異なるアプリケーションがその情報を利用するようにしてもよい。
【００３７】
例えば、ローカルのコンピュータで保持しているブックマーク（ＵＲＬのリスト）をユーザ選択情報保管用サーバに転送保管してどのサイトからでもそのブックマークを利用するようにしてもよい。この場合、ローカルのブックマークとリモートのブックマークとを選択的にあるいは同時に利用できる構成としてもよい。
【００３８】
また、ローカルのコンピュータで開いたメールをユーザ選択情報保管用サーバに転送保管してどのサイトからもメールを再読するようにしてもよい。
【００３９】
また、ローカルのコンピュータに保管されているメールアドレスリストをユーザ選択情報保管用サーバに転送保管してどのサイトのメール転送にも利用できるようにしてもよい。
【００４０】
また、通話開始用のソフトウェアの電話番号簿をユーザ選択情報保管用サーバに記憶させ、他のサイトの通話開始用ソフトウェアがこの電話番号簿を利用して発呼を行なうようにしてもよい。この通話システムはインターネットを利用した電話システムに適用してもよい。
【００４１】
なお、通常の電話網の電話器や移動体通信網の電話器に記憶されている電話番号簿を、ユーザ選択情報保管用サーバに転送保管し、通常の電話器で取出して発呼に用いるようにすることもできる。
【００４２】
また、ユーザ選択情報の種類（対応するアプリケーション等）に応じてチャネル（識別子等により区別する）を設定し、種々のユーザ設定情報を種々の態様で保管・取出しするようにしてもよい。またユーザ選択情報の保管・取出しを実行する機能をアプリケーションに持たせてもよいし、基本ソフトウェアに持たせてもよいし、専用のソフトウェアで実現してもよい。
【００４３】
【発明の効果】
以上説明したように、この発明によれば、通信、放送、記録メディアを介して取得したコンテンツにアクセスしているときに取捨選択した所望の情報をどのサイトからでもアクセスできるようにすることができる。
【図面の簡単な説明】
【図１】  この発明の実施例を全体として示す図である。
【図２】  放送局における送信動作を説明するフローチャートである。
【図３】  メッセージの構成を説明する図である。
【図４】  この実施例の受信装置の構成を示すブロック図である。
【図５】  この実施例の受信装置の受信動作を説明するフローチャートである。
【図６】  この実施例の受信装置側のデータ表示動作を説明するフローチャートである。
【図７】  図６の表示動作を説明する図である。
【図８】  キャッシュ制御部５２の処理を説明するフローチャートである。
【図９】  この実施例におけるクリップ動作を説明する図である。
【図１０】  上述のクリップ動作を説明するフローチャートである。
【図１１】  この実施例のクリップ取出し動作を説明するフローチャートである。
【符号の説明】
１０    放送局
１１    放送サーバ
２０    パーソナルコンピュータ
３１    ＷＷＷサーバ
３２    ユーザ選択情報保管用サーバ
４０    モバイルコンピュータ
４０ａ    車両
４０ｂ    カーナビゲーションシステム
４１    チューナ
４２    波形等価器
４３    Ａ／Ｄ変換器
４４    パケット抽出器
４５    番組データ生成部
４６    Ｂ−ＨＴＴＰサービス部
４７    Ｂｉｔｃａｓｔブラウザ
５１    キャッシュ
５２    キャッシュ制御部
【図１】
0004249814.tif 000002
【図２】
0004249814.tif 000003
【図３】
0004249814.tif 000004
【図４】
0004249814.tif 000005
【図５】
0004249814.tif 000006
【図６】
0004249814.tif 000007
【図７】
0004249814.tif 000008
【図８】
0004249814.tif 000009
【図９】
0004249814.tif 000010
【図１０】
0004249814.tif 000011
【図１１】
0004249814.tif 000012